(57)【特許請求の範囲】
【請求項１】
密封状の中空伸縮体（１０）と、この中空伸縮体（１０）の下端に開口される吸排口（１２）に接続される中空容器（２０）と、この中空容器（２０）の下端に着脱可能に接続される導水パイプ（３０）と、前記中空容器（２０）内に縦通収容されて、上端に前記中空容器（２０）内の上部に開口する流出口（４１）を有すると共に下端に前記導水パイプ（３０）が連通される吸上パイプ（４０）とよりなり、
前記吸上パイプ（４０）の上面は閉じられ、前記流出口（４１）は、その周方向に間隔をあけて開口される複数の分散口（４１1 ，４１1 ）よりなることを特徴とする、水槽用処理具。
【請求項２】
前記吸上パイプ（４０）は、前記中空容器（２０）に着脱可能に接続されることを特徴とする、前記請求項１に記載の水槽用処理具。
【発明の詳細な説明】
【技術分野】
【０００１】
本発明は、金魚、熱帯魚、海水魚などの観賞魚の飼育用水槽内の砂利、石、草その他の設置物上に沈殿点在する塵埃、魚糞などの微細な汚物を簡単容易に吸引除去できるようにした、水槽用処理具に関する。
【背景技術】
【０００２】
従来、水槽内の清掃処理具として、たとえば後記特許文献１のものが知られている。この特許文献１のものでは、吸上パイプと、その一端に接続される導水パイプと、その他端に接続される伸縮筒とよりなり、この伸縮筒の伸長によるサイフォン作用で、水槽内の異物を水と共に吸い上げるようにしているが、このものでは、伸縮筒の排水口を指先で閉じながらその伸縮筒を伸長操作する必要があって操作が面倒であるばかりでなく異物と共に排出される水を貯留するための排水容器を別途に用意する必要がある。
【先行技術文献】
【特許文献】
【０００３】
【特許文献１】特開平１１−２４３８０９号公報
【発明の概要】
【発明が解決しようとする課題】
【０００４】
本発明は、かかる実情に鑑みてなされたもので、中空伸縮体を伸縮するだけの簡単な操作で、しかも別途に用具を必要とすることなく水槽内に沈殿点在する微細な汚物を、簡単容易に能率よく吸引除去できるようにした、新規な水槽用処理具を提供することを目的とする。
【課題を解決するための手段】
【０００５】
前記目的達成のため、請求項１に記載の発明は、密封状の中空伸縮体と、この中空伸縮体の下端に開口される吸排口に接続される中空容器と、この中空容器の下端に着脱可能に接続される導水パイプと、前記中空容器内に縦通収容されて、上端に前記中空容器内の上部に開口する流出口を有すると共に下端に前記導水パイプが連通される吸上パイプとよりなり、
前記吸上パイプの上面は閉じられ、前記流出口は、その周方向に間隔をあけて開口される複数の分散口よりなることを特徴としている。
【０００６】
前記目的達成のため、請求項２に記載の発明は、前記請求項１に記載のものにおいて、前記吸上パイプは、前記中空容器に着脱可能に接続されることを特徴としている。
【発明の効果】
【０００７】
請求項１の発明によれば、中空伸縮体を伸縮するだけの簡単な操作で、しかも別途に用具を必要とすることなく水槽内に沈殿点在する微細な汚物を簡単容易に選択的に能率よく吸引除去できる。
【０００８】
また、中空容器内に吸引された汚物を、複数の分散口を通して中空容器内に分散して収容することができ、その汚物を中空容器内に満遍なく均等に収容することができる。
【０００９】
請求項２の発明によれば、請求項１の発明の前記効果に加えて、吸上パイプを中空パイプから離脱することで、中空容器内に収容した固形餌を水槽内に選択的に分散給餌することができる。
【図面の簡単な説明】
【００１０】
【図１】水槽用処理具の斜視図
【図２】図１の２−２線に沿う拡大断面図
【図３】図２の３−３線に沿う断面図
【図４】吸上パイプの上部斜視図
【図５】水槽内に処理具をセットした状態を示す図
【図６】水槽内の汚物除去作用を示す図
【図７】回収した汚物の排出状態を示す図
【図８】水槽内に処理具をセットした状態を示す図
【図９】水槽内への給餌作用を示す図
【図１０】水槽内への給餌作用を示す図
【発明を実施するための形態】
【００１１】
以下、本発明に係る水槽用処理具の実施の形態を添付図面に基づいて説明する。
【００１２】
図１，２に示すように、水槽用処理具は、密封状の中空伸縮体１０と、この中空伸縮体１０の下端に接続される中空容器２０と、この中空容器２０の下端に着脱可能に接続される導水パイプ３０と、中空容器２０内に収容される、吸上パイプ４０とより構成されている。
【００１３】
前記中空伸縮体１０は、軟質の合成樹脂材により形成されており、上下方向に伸縮可能な円筒状の蛇腹体よりなり、その上面に指先にて押圧可能な押圧面１１が形成され、その下端に円筒状の吸排口１２が開口されている。
【００１４】
前記中空容器２０は、透明な硬質の合成樹脂材により形成されており、中空円筒状の主体部分２１と、その開口上面に一体に水密状に嵌合される上部キャップ２２と、その開口下面に着脱可能に水密状に嵌合される下部キャップ２５とよりなる。
【００１５】
上部キャップ２２の中央部に開口した接続開口端２３に、前記中空伸縮体１０の吸排口１２が嵌合接続されていて、前記中空伸縮体１０の伸縮によるポンプ作用が中空容器２０内に及ぶようにされている。
【００１６】
また、下部キャップ２５の中央部には、外部に連通する連通孔２６が形成され、この連通孔２６の下端には、透明な硬質合成樹脂材よりなる小径の導水パイプ３０が着脱可能に接続されている。
【００１７】
前記中空容器２０内の中央部には、その長手方向に沿って、透明な硬質合成樹脂材よりなる吸上パイプ４０が縦通して収容されている。この吸上パイプ４０は、前記導水パイプ２０と略同径の小径に形成されており、この吸上パイプ４０の下端が前記下部キャップ２５に着脱可能に支持されていて、前記導水パイプ３０に連通されている。また、吸上パイプ４０の上端には、中空容器２０内に連通する流出口４１が開口されている。この流出口４１は、図２，４に示すように、吸上パイプ４０上端の周面に対向して開口される２つのＵ字状の横孔４２，４２と、吸上パイプ４０の開口上端を閉じる蓋板４３とで形成される複数の分散口４１1 ，４１1 よりなり、後に述べるように、吸上パイプ４０内を上昇する汚物Ｄは、少量の水と共に前記複数の分散口４１1 ，４１1 を通って中空容器２０内に満遍なく均等に分散流入するようにされている。
【００１８】
なお、図３に示すように、上部キャップ２２の外周面２２ａは多角形（八角形）に形成されていて、不使用時に水槽用処理具自体を設置面Ｇ上に横置きしたとき、これが転動しないようにされている。また、図１に示すように、下部キャップ２５の外周面２５ａには、凹凸面が形成されており、この下部キャップ２５を、吸上パイプ４０および導水パイプ３０と共に中空容器２０から離脱するとき（図７（Ｂ）参照）、下部キャップ２５の外周面２５ａをしっかりと把持することができ、その離脱作業をし易くしている。
【００１９】
つぎに、図５〜７を参照して、この実施形態の一使用例について説明する。
【００２０】
この使用例では、水槽Ｖ内に沈殿する、塵埃、残餌などの微細な汚物Ｄを吸引除去する場合であって、図５に示すように、処理具を把持して導水パイプ３０を水槽Ｖの貯留水内に進入させて、その下端を除去すべき汚物Ｄのあるところに臨ませる。
【００２１】
図６（Ａ）に示すように、中空伸縮体１０を指先にて押圧して圧縮し、密閉状の中空容器２０内を加圧したのち、その押圧力を解除すれば、図６（Ｂ）に示すように、中空伸縮体１０が膨張して中空容器２０内に吸水力が作用する。これにより、水槽Ｖ内の微細な汚物Ｄは、少量の水と共に導水パイプ３０および吸上パイプ４０を通り、その吸上パイプ４０上端の流出口４１を通って矢印ａに示すように、中空容器２０内に流入し、そこに貯留される。この場合、前記流出口４１は、吸上パイプ４０の上端に周方向に間隔をあけて開口される複数の分散口４１1 ，４１1 よりなるので、汚物Ｄを中空容器２０内に分散して満遍なく均等に流入させることができる。
【００２２】
図６（Ｃ）、（Ｄ）に示すように、中空伸縮体１０の圧縮、膨張作用を複数回繰り返すことにより、中空容器２０内に、水槽Ｖ内の複数箇所に分散沈殿する微細な汚物を少量の水と共に回収することができる。
【００２３】
図７（Ａ）に示すように、中空容器２０内に回収された汚物は、同図（Ｂ）に示すように、下部キャップ２５を、吸上パイプ４０および導水パイプ３０と共に中空容器２０から外して、その下端から汚物Ｄを外部に取り出す。
【００２４】
以上のように、水槽Ｖ内の複数箇所に分散して沈殿する微細な汚物Ｄを、本発明に係る処理具で、他の用具を用意することなく、簡単容易に吸引除去することができる。
【００２５】
つぎに、図８〜１０を参照して、この実施形態を給餌具として使用する他の使用例について説明する。
【００２６】
図９（Ａ）に示すように、処理具を倒立させ、同図（Ｂ）に示すように、下部キャップ２５を導水パイプ３０と共に中空容器２０から離脱し、さらに下部キャップ２５から吸上パイプ４０を抜き取る。
【００２７】
図９（Ｃ）に示すように、中空容器２０内にブラインシュリンプ、ミジンコ、アカムシなどの固形餌（乾燥餌）Ｆを投入したのち、中空容器２０の開口端を下部キャップ２５により閉じる。
【００２８】
図８に示すように、処理具を把持して導水パイプ３０を水槽Ｖの貯留水内に進入させて、その下端を給餌すべき場所に臨ませ、中空伸縮体１０を指先にて押圧して圧縮し、密閉状の中空容器２０内を加圧する。これにより、中空容器２０内の固形餌Ｆは矢印ｂに示すように加圧されて、その一部を導水パイプ３０内を通して水槽Ｖ内の給餌箇所に選択的に給餌することができる。
【００２９】
図１０（Ａ）に示すように、中空伸縮体１０の押圧を解除すれば、中空伸縮体１０が膨張して中空容器２０内の固形餌Ｆを、該容器２０内に分散させる。ここで、処理具を他の給餌場所に移動したのち、図１０（Ｂ）に示すように、再度中空伸縮体１０を圧縮すれば、中空容器２０内の固形餌Ｆを他の給餌場所に給餌することができる。
【００３０】
以上の操作を繰り返すことにより、中空容器２０内の固形餌Ｆを、水槽Ｖ内の複数の給餌場所に選択的に分散給餌することができる。
【００３１】
以上、本発明の実施の形態について説明したが、本発明はその実施形態に限定されることなく、本発明の範囲内で種々の他の実施形態が可能である。
【００３２】
たとえば、前記実施の形態では、中空伸縮体１０を、蛇腹体に形成しているが、これを袋体など他の形状に形成してもよく、また、中空容器２０を円筒体により形成しているが、これを角筒体などの他の形状に形成してもよい。
【符号の説明】
【００３３】
１０・・・・・・・中空伸縮体
１２・・・・・・・吸排口
２０・・・・・・・中空容器
３０・・・・・・・導水パイプ
４０・・・・・・・吸上パイプ
４１・・・・・・・流出口
４１1 ・・・・・・分散口
【図１】
0006461536.tif 000002
【図２】
0006461536.tif 000003
【図３】
0006461536.tif 000004
【図４】
0006461536.tif 000005
【図５】
0006461536.tif 000006
【図６】
0006461536.tif 000007
【図７】
0006461536.tif 000008
【図８】
0006461536.tif 000009
【図９】
0006461536.tif 000010
【図１０】
0006461536.tif 000011